(57)【要約】【課題】風飛び等が有効に防止され、しかも外観意匠性が損なわれることもない帽子を提供する。【解決手段】本体部１１とツバ部１２の境界付近に一部が止着されたリング状の紐体３と、当該紐体３にこれに沿って移動可能に装着された衣服への留め具４とを備え、ツバ部１２は本体部１１の全周に形成されている。そして、本体部１１の外周に、ツバ部１２上へ延在する延在部２１を備えたリボン２が取着されて、紐体３を本体部１１の外周に掛け回した状態で留め具４を紐体３に沿って延在部２１の下方へ移動位置させることができる。【選択図】        図１
0003227523.tif 000002
【実用新案登録請求の範囲】
【請求項１】
本体部とツバ部の境界付近に一部が止着されたリング状の紐体と、当該紐体にこれに沿って移動可能に装着された衣服への留め具とを備える帽子。
【請求項２】
前記ツバ部は前記本体部の全周に形成されている請求項１に記載の帽子。
【請求項３】
前記本体部の外周に、前記ツバ部上へ延在する延在部を備えたリボンが取着されて、前記紐体を前記本体部の外周に掛け回した状態で前記留め具を前記紐体に沿って前記延在部の下方へ移動位置させる請求項１又は２に記載の帽子。
【請求項４】
前記本体部と前記ツバ部は折り畳み可能な素材で構成されており、折り畳まれた前記本体部ないし前記ツバ部の外周に前記紐体を巻き付けて前記留め具を前記紐体に潜らせて係止することにより折り畳み状態が維持される請求項１ないし３のいずれかに記載の帽子。
【請求項５】
前記紐体は、弾性的に変形可能である請求項１ないし４に記載の帽子。
【考案の詳細な説明】
【技術分野】
【０００１】
本考案は帽子に関し、特に風飛び等を防止できる帽子に関するものである。
【背景技術】
【０００２】
特許文献１には風飛び等を防止する脱落防止具を備えた帽子が示されており、ここで使用されている脱落帽子具は、後頭部に沿った紐の水平の一端を帽子側に固定し、途中に設けた曲げ角度調節具で紐を水平から垂直方向へ屈曲させて、紐の他端(下端)をこれに設けた襟捕捉具で衣服の襟に着脱可能に止めたものである。
【先行技術文献】
【特許文献】
【０００３】
【特許文献１】特開２０００−２２６７１７
【考案の概要】
【考案が解決しようとする課題】
【０００４】
しかし、上記従来の帽子では、角度調整具を備える脱落帽子具の構造が複雑であるとともに、脱落帽子具を使用しない場合にもこれが帽子外面に目立つように露出して帽子の意匠性を損なうという問題があった。
【０００５】
そこで、本考案はこのような課題を解決するもので、風飛び等が有効に防止され、しかも外観意匠性が損なわれることもない帽子を提供することを目的とする。
【課題を解決するための手段】
【０００６】
上記目的を達成するために、本第１考案では、本体部（１１）とツバ部（１２）の境界付近に一部が止着されたリング状の紐体（３）と、当該紐体（３）にこれに沿って移動可能に装着された衣服への留め具（４）とを備えている。
【０００７】
本第１考案においては、紐体に装着された留め具を衣服の襟等に止めておけば、風を受けても帽子が飛び去ってしまうことがない。留め具を使用しない場合には、紐体を本体部とツバ部の境界付近で本体部の外周に掛け回しておけば、帽子の外観意匠性は殆ど損なわれない。
【０００８】
本第２考案では、前記ツバ部（１２）は前記本体部（１１）の全周に形成されている。
【０００９】
本第２考案においては、留め具を使用しない場合に、紐体を本体部とツバ部の境界付近で本体部の外周に掛け回しておけば、全周にツバ部が形成されていることによって、本体部に掛け回された紐体はツバ部と一体化するからさらに帽子の外観意匠性が損なわれない。
【００１０】
本第３考案では、前記本体部（１１）の外周に、前記ツバ部（１２）上へ延在する延在部（２１）を備えたリボン（２）が取着されて、前記紐体（３）を前記本体部（１１）の外周に掛け回した状態で前記留め具（４）を前記紐体（３）に沿って前記延在部（２１）の下方へ移動位置させる。
【００１１】
本第３考案においては、留め具を使用しない場合にはこれをリボンの延在部下方に隠蔽することができるから、帽子の外観意匠性を保つことができる。
【００１２】
本第４考案では、前記本体部（１１）と前記ツバ部（１２）は折り畳み可能な素材で構成されており、折り畳まれた前記本体部（１１）ないし前記ツバ部（１２）の外周に前記紐体（３）を巻き付けて前記留め具（４）を前記紐体（３）に潜らせて係止することにより折り畳み状態が維持される。
【００１３】
本第４考案においては、紐体によって帽子の本体部とツバ部の折り畳み状態が維持されるから、使用しない帽子の携行が容易となる。
【００１４】
本第５考案では、前記紐体（３）は、弾性的に変形可能である。
【００１５】
本第５考案においては、留め具を使用する際、紐体を帽子本体部の外周に掛け回す際、および折り畳まれた本体部ないしツバ部に巻き付ける際に紐体が適当に伸縮するから、これらの作業を容易に行うことができる。
【００１６】
上記カッコ内の符号は、後述する実施形態に記載の具体的手段との対応関係を参考的に示すものである。
【考案の効果】
【００１７】
以上のように、本考案の帽子によれば、風飛び等が有効に防止されるとともに帽子の外観意匠性が損なわれることもない。
【図面の簡単な説明】
【００１８】
【図１】紐体を取り出した状態の帽子の全体斜視図である。
【図２】紐体を取り出した状態の帽子の全体平面図である。
【図３】紐体の基端止着部の拡大斜視図である。
【図４】紐体に装着された閉じた状態の留め具の平面図である。
【図５】紐体に装着された開いた状態の留め具の側面図である。
【図６】紐体を本体部外周に掛け回した状態の帽子の拡大斜視図である。
【図７】留め具不使用時の帽子の全体平面図である。
【図８】折り畳んだ状態の帽子の全体斜視図である。
【考案を実施するための形態】
【００１９】
なお、以下に説明する実施形態はあくまで一例であり、本考案の要旨を逸脱しない範囲で当業者が行う種々の設計的改良も本考案の範囲に含まれる。
【００２０】
図１には帽子１の斜視図を示し、図２には帽子１の平面図を示す。帽子１は頭に被着される略円筒状の本体部１１と、その全周縁に所定幅で形成されたツバ部１２とを有する。本体部１１とツバ部１２は、ペーパー繊維とポリエステル繊維を例えば３：２の比率で混紡したもので構成されており、手洗い可能かつ後述するように丸めて折り畳んだ状態にすることが可能である。
【００２１】
ツバ部１２に近い本体部１１の外周には全周にリボン２が巻回してあり、リボン２は周方向の一カ所で蝶結びされて八字状にツバ部１２上へ延在して延在部２１となっている。リボン２の一部からリング状のゴム等の弾性変形可能な紐体３が側方へ延びており、紐体３の長さは本体部１１の基端外周の長さよりも適度に短くしてある。紐体３の基端３１は図３に示すように、リボン２の延在部２１に隠れた、本体部１１とツバ部１２の境界付近に止着されている。
【００２２】
紐体３には図４に示すような公知の留め具４がその一端開口４１によって装着されて、紐体３に沿って移動可能である。留め具４は図５に示すようにそのワニ口４２を開閉して衣服の襟等に止めることができる。これによって、帽子１が強風等で飛ばされるのが防止される。
【００２３】
留め具４を使用しない場合には、ワニ口４２を開いて衣服から留め具４を外した後、ワニ口４２を閉じて、図６に示すように紐体３を本体部１１の基端外周に沿って円形リング状に掛け回す。そして、留め具４を紐体３に沿って図６に示すようにリボン２の延在部２１下方へ移動させる。このようにすれば、留め具４はリボン２の延在部２１下方に位置して外部へ露出せず、紐体３もリボン２の下縁に沿って位置させられて目立つことがなく、特に紐体の色をリボンと同系色にしておけば、リボン２と外観上一体化する。これにより、図７に示すように、帽子１の外観の意匠性が損なわれることがない。
【００２４】
帽子１を使用しない場合には、紐体３（およびこれに装着された留め具４）を本体部１１の外周から外して図１に示した状態とし、続いて図８に示すように、本体部１１とツバ部１２を縦方向に丸めて折り畳み、折り畳まれた本体部１１ないしツバ部１２の外周に紐体３を巻き付けて、留め具４を紐体３に潜らせて係止する。これにより帽子１はコンパクトな折り畳み状態に維持されるから、これを容易に携行することができる。
【００２５】
（他の実施形態）
なお、帽子としては上記実施形態のように本体部の全周にツバ部を備えるハット状のものに限らず、本体部の前半周にのみツバ部を備えるキャップ状のものでも良い。また、リボンは必ずしも設けられる必要はない。紐体３は必ずしも弾性変形可能なものである必要はない。
【符号の説明】
【００２６】
１…帽子、１１…本体部、１２…ツバ部、２…リボン、２１…延在部、３…紐体、４…留め具。
【図１】
0003227523.tif 000003
【図２】
0003227523.tif 000004
【図３】
0003227523.tif 000005
【図４】
0003227523.tif 000006
【図５】
0003227523.tif 000007
【図６】
0003227523.tif 000008
【図７】
0003227523.tif 000009
【図８】
0003227523.tif 000010